(57)【要約】【課題】同一記録媒体上で画質の均一性を向上させ得る定着装置の提供。【解決手段】加熱体２４と、前記加熱体によって加熱される加熱回転体２１と、前記加熱回転体に圧接しニップ部Ｎを形成する加圧部材１０と、を有し、未定着画像Ｓを担持する記録媒体Ｐを前記ニップ部で挟持搬送して未定着画像を記録媒体に定着する定着装置において、前記加熱体を所定の目標設定温度に温調する制御手段３１を有する。制御手段は、前記記録媒体がニップ部に突入する直前までの第１の目標設定温度を、該記録媒体がニップ部に突入した後の第２の目標設定温度よりも低くするモードを有する。【選択図】図１
2006011256.tif 000002
【特許請求の範囲】
【請求項１】
加熱体と、前記加熱体によって加熱される加熱回転体と、前記加熱回転体に圧接しニップ部を形成する加圧部材と、を有し、未定着画像を担持する記録媒体を前記ニップ部で挟持搬送して未定着画像を記録媒体に定着する定着装置において、
前記加熱体を所定の目標設定温度に温調する制御手段を有し、前記制御手段は、前記記録媒体がニップ部に突入する直前までの第１の目標設定温度を、該記録媒体がニップ部に突入した後の第２の目標設定温度よりも低くするモードを有することを特徴とする定着装置。
【請求項２】
前記第１および第２の目標設定温度は、それぞれ、前記加圧部材の表面温度が、記録媒体のニップ部通過中に該加圧部材が達する熱平衡状態の温度を維持するように定められることを特徴とする請求項１に記載の定着装置。
【請求項３】
前記第１および第２の目標設定温度は、それぞれ、前記記録媒体のサイズ、厚さ、表面性などの種類毎に、前記加圧部材の表面温度が、記録媒体のニップ部通過中に該加圧部材が達する熱平衡状態の温度を維持するように定められることを特徴とする請求項１に記載の定着装置。
【請求項４】
前記加熱体の温度を検知する温度検知手段をさらに有し、前記制御手段は、前記温度検知手段の検知温度に基づいて前記第１の目標設定温度と第２の目標設定温度に前記加熱体を温調することを特徴とする請求項１から請求項３の何れかに記載の定着装置。
【発明の詳細な説明】
【技術分野】
【０００１】
本発明は、記録媒体に担持させた未定着画像を加熱定着させる定着装置に関するものである。
【背景技術】
【０００２】
電子写真方式を利用したレーザプリンタ、複写機、ファクシミリ等の画像形成装置においては、記録媒体に担持させた未定着トナー画像を加熱定着させる画像加熱定着装置（以下、定着装置と記す）が搭載されている。この定着装置の加熱方式、構成として、熱ローラ方式、フィルム加熱方式、電磁誘導加熱方式などが知られている。
【０００３】
熱ローラ方式の定着装置は、弾性層を有したローラ対に加熱体（ヒータ）を内蔵させ、ローラ表面が所定の温度を保つように温度制御し、未定着トナー画像を担持した記録媒体を、ローラ対の接触部に形成される定着ニップ部に挟持搬送させ、加熱および加圧して、トナー画像を記録媒体に定着させる。
【０００４】
それに対して、フィルム加熱方式（特許文献１参照）の定着装置は、板状の加熱体であるヒータを内側に有し、それに摺動して回転する耐熱性の定着フィルムと、該定着フィルムに圧接して定着ニップ部を形成する加圧ローラなどで構成され、未定着トナーを担持する記録媒体を上記定着ニップ部で挟持搬送し、トナーを加熱定着する。
【０００５】
このようなフィルム加熱方式の定着装置においては、低熱容量の加熱体、定着フィルムを用いて、加圧ローラ側の加熱手段を省くことで、従来の熱ローラ方式に比べ、省電力化が図れ、クイックスタート性に優れている。
【０００６】
定着ニップ部において記録媒体に未定着トナー画像を加熱定着させる定着プロセスにおいては、未定着トナー画像の記録媒体への定着のさせ方によって出力画像の画質に影響を与えることが知られている。
【０００７】
定着プロセスにおける代表的なパラメータは温度、圧力、速度等が挙げられるが、特に温度制御に関しては、従来、上記のフィルム加熱方式の定着装置においては、記録媒体上のトナー画像に直接接触する定着フィルム表面の温度が、トナーを加熱定着するのに適した所定の温度（定着温度）を保つように、加熱体の発熱量を制御する方法が取られている。
【０００８】
また、定着フィルム表面を上記の所定温度に保つための加熱体の目標設定温度は、記録媒体の条件すなわち記録媒体のサイズ、厚み、表面性などの種類毎に変更することはあっても、１種類の記録媒体を定着処理する間は、所定の値に固定して温度制御がなされている。これはフィルム加熱方式の定着装置に限らず、電磁誘導加熱方式（特許文献２）の定着装置のように熱応答性がよく、記録媒体の裏面に接する加圧部材側の加熱手段を省いた定着装置にも同様のことが言える。
【特許文献１】特開昭６３−３１３１８２
【特許文献２】特開平１０−３０１４１５
【発明の開示】
【発明が解決しようとする課題】
【０００９】
しかし、上記の定着装置では、何れも記録媒体上の未定着トナー画像と接する側の定着ローラあるいは定着フィルムなどの加熱回転体の表面温度を一定に保つ温度制御を行っており、記録媒体においてトナー画像面（記録媒体表面）の裏側（記録媒体裏面）に接する加圧部材としての加圧ローラの表面温度については考慮されていない。
【００１０】
加熱体の目標設定温度が常に一定の従来の温度制御では、フィルム加熱方式や電磁誘導加熱方式のように加熱手段を有していない加圧ローラの表面温度は、記録媒体がニップ部に突入した直後に大幅に低下する。以後、記録媒体がニップ部を通過する過程で、加圧ローラの熱は記録媒体に奪われていき、徐々に温度が低下していく。特に加圧ローラの周長毎に顕著な温度低下が起こるが、これは最初に記録媒体が定着ニップ部に突入した時点で起こる、加圧ローラ表面の温度低下の履歴を残しているためであり、後続の記録媒体が定着ニップ部に順次に突入するのに伴って次第にその履歴は消えてゆくため、温度低下幅は徐々に小さくなって加圧ローラ表面温度は記録媒体を含めた熱平衡状態へと落ち着く。
【００１１】
加熱回転体と同様に加圧ローラからも記録媒体裏面から記録媒体を通して記録媒体表面のトナーへ熱を伝えている。加圧ローラの温度が低下すると、記録媒体表面のトナーへ伝わる熱量が減少し、トナーの溶融が抑えられて溶け広がらないので、トナーの投影面積が小さくなり、且つ凹凸が残ることから、濃度、グロスが低下する。またトナーの溶融不足により定着性も低下する。記録媒体がニップ部を通過する際、記録媒体先端がニップ部に突入した時点から加圧ローラの温度は徐々に低下するため、出力画像は先端から徐々に濃度、グロスが低下してしまう。特に加圧ローラ周長に相当する位置毎に温度低下幅が大きいため、それに対応した位置で濃度、グロスの低下が目立ち、同一記録媒体上で均一な画質が得られない。
【００１２】
一方、加熱回転体は加熱体を有し、常に熱が供給されるので、加圧ローラほど大きな温度低下は起こらない。その結果、記録媒体がニップ部を通過している最中にトナーに与えられる加熱回転体からの熱量、すなわち記録媒体表面から与えられる熱量と、加圧ローラからの熱量、すなわち記録媒体裏面から与えられる熱量のバランスが崩れていく。特にフィルム定着方式等のように低熱容量の加熱体、定着フィルムを用いる等して熱応答性が向上した定着装置においては、この現象が顕著に起こり、記録媒体表面、裏面からの熱量のバランスの変化により、濃度、グロスが変化する。
【００１３】
以下に記録媒体表面、裏面からの熱量バランスが濃度とグロスに影響を与える仕組みを説明する。記録媒体表面からの熱はトナー層の上層部分の溶融を進め、溶融が進行するほどトナー上層は溶け広がるため、投影面積が広くなり、平滑性が上がるため、濃度、グロスが向上する。しかし、トナー上層の溶融が進行しすぎると、ホットオフセットなどの弊害を生じる。一方、記録媒体裏面からの熱はトナー層の下層部分の溶融を進める。溶融が進行するほどトナー下層は溶け広がるので、記録媒体表面からの熱と同様の効果が得られるが、さらに、トナー下層は軟らかくなって紙繊維に絡みつくという効果がある。その結果、トナー層全体の定着性を確保することができる。しかし、トナー下層の溶融が進行しすぎると、過度に軟らかくなったトナーは紙の繊維間へ落ち込んでいき、紙繊維を露出させ、その凹凸を露にしてしまう。すると定着性は確保できるものの、濃度、グロスが低下してしまう。以上のことから、記録媒体表面、裏面からの熱量バランスを制御することにより、定着性、濃度、グロス等の画質を制御することができる。言い換えると記録媒体表面、裏面からの熱量バランスが変化すると、画質が変化してしまうことになる。
【００１４】
従って、記録媒体のニップ部通過中に加圧ローラ温度が低下することを予測して、総熱量を補うために単純に目標設定温度を高くしても、記録媒体表面、裏面からの熱量バランスが崩れていく状況は変わらないため、同一記録媒体上での画質の不均一性を解決することはできない。またホットオフセット等の弊害も生じる。
【００１５】
本発明は、上記の課題を解決するためになされたものであり、記録媒体に担持させた未定着画像を加熱定着させる定着装置について、同一記録媒体上で画質の均一性を向上させ得る定着装置を提供することを目的とする。
【課題を解決するための手段】
【００１６】
本発明に係る定着装置の代表的な構成は、
加熱体と、前記加熱体によって加熱される加熱回転体と、前記加熱回転体に圧接しニップ部を形成する加圧部材と、を有し、未定着画像を担持する記録媒体を前記ニップ部で挟持搬送して未定着画像を記録媒体に定着する定着装置において、
前記加熱体を所定の目標設定温度に温調する制御手段を有し、前記制御手段は、前記記録媒体がニップ部に突入する直前までの第１の目標設定温度を、該記録媒体がニップ部に突入した後の第２の目標設定温度よりも低くするモードを有することを特徴とする定着装置、
である。
【発明の効果】
【００１７】
本発明によれば、記録媒体がニップ部に突入する直前までの第１の目標設定温度を、該記録媒体がニップ部に突入した後の第２の目標設定温度よりも低くするので、記録媒体のニップ部突入直後に加圧部材表面温度が急激に低下するのを防ぐことができる。それにより、記録媒体の未定着画像側面の裏側からの熱量が急激に減少するのを防ぎ、記録媒体の未定着画像側面とその裏側面からの熱量のバランスを一定に保ち、同一記録媒体上での濃度、グロス変化を抑えて画質の均一性を向上させることができる。また、加圧部材表面の温度低下を避けるために、単純に目標設定温度を上げることによるホットオフセット発生を防ぎ、また、記録媒体の通過前に過剰な加熱をすることが無いため、必要以上に温度が上昇するのを避けられ、消費電力を抑えることができる。
【発明を実施するための最良の形態】
【００１８】
以下、本発明の実施例を図面に基づいて説明する。
【実施例１】
【００１９】
（１）画像形成装置例
図４は本発明に係る定着装置として画像加熱定着装置を含む、画像形成装置の構成の一例を示す図である。本実施例の画像形成装置は転写方式電子写真プロセスを用いたレーザビームプリンタである。
【００２０】
図４において、１０１は装置本体Ｍに回転自在に支持されている潜像担持体（像担持体）としての感光ドラムであり、駆動手段（不図示）によって矢印方向へ所定のプロセススピードで回転している。
【００２１】
感光ドラム１０１の周囲には、その回転方向に沿って、帯電ローラ（転写手段）１０２、レーザ露光装置（露光手段）１０３、現像装置（現像手段）１０５、転写ローラ（転写手段）１０６、クリーニング装置（クリーニング手段）１０７がその順に配設されている。
【００２２】
感光ドラム１０１は、帯電ローラ１０２により、所定の極性および電位に一様に帯電される。その後、その表面に対しレーザ光学系等のレーザ露光装置１０３から画像情報に基づいたレーザＬがミラー１０４等を介して露光され、露光部分の電荷が除去されて該感光ドラム１０１上に静電潜像が形成される。
【００２３】
静電潜像は現像装置１０５によって現像される。現像装置１０５は現像ローラ１０５ａを有しており、この現像ローラに現像バイアスを印加し、感光ドラム１０１上の静電潜像にトナーを付着させることで、静電潜像がトナー像として可視化（顕像化）される。
【００２４】
一方、所定のタイミングで給紙ローラ１０９により、給紙カセット１０８から記録媒体Ｐが給紙され、搬送ローラ１１０等により、感光ドラム１０１と転写ローラ１０６とによって形成される転写ニップ部Ｔｎへと搬送される。転写ローラ１０６には、転写バイアスが印加され、これにより感光ドラム１０１上のトナー像が順次記録媒体Ｐ上に転写される。
【００２５】
転写によって表面に未定着トナー画像を担持した記録媒体Ｐは転写ニップ部Ｔｎを出た後、感光ドラム１０１から分離されて、搬送ガイド１１１に沿って定着装置１１２へ送り込まれ、ここで未定着トナー画像が加熱・加圧されて記録媒体Ｐ表面に定着される。なお、定着装置１１２の構成については次の（２）項で詳しく説明する。
【００２６】
未定着トナー画像が定着された記録媒体Ｐは、搬送ローラ１１３、排紙ローラ１１４によって装置本体Ｍ上の排紙トレイ１１５上に搬送・排出される。
【００２７】
一方、トナー像転写後の感光ドラム１０１は、記録媒体Ｐに転写されないで表面に残ったトナーがクリーニング装置１０７のクリーニングブレード１０７ａによって除去され、次の画像形成に備える。
【００２８】
（２）定着装置１１２
図１は本実施例の画像加熱定着装置の一例を示す概略構成模型図である。本実施例に示す画像加熱定着装置(以下、定着装置と記す)１１２はフィルム加熱方式の定着装置である。
【００２９】
本例の定着装置１１２は、加圧ローラ駆動式であり、加熱体(ヒータ)２４を保持させた加熱体支持体としてのステー２２に、加熱回転体としての円筒状の定着フィルム２１を介して加圧部材である加圧ローラ１０を所定の押圧力をもって圧接させ、加熱体２４との間に定着ニップ部Ｎを形成している。
【００３０】
回転駆動制御回路３０は、加圧ローラ１０を回転駆動するモータと、これを制御するＣＰＵなどを備えてなり、ＣＰＵがプリント信号Ｓ１を入力してモータを起動させ、該モータによって加圧ローラ１０を矢印ｂ方向（反時計方向）に回転駆動させる。この加圧ローラ１０の回転による定着フィルム２１外面との摺動摩擦力により定着フィルム２１に回転力が作用し、定着フィルム２１は加熱体２４を保持させたステー２２の外回りを矢印ｃ方向（時計方向）に回転する。制御手段としての加熱体駆動制御回路３１は、給電装置と、これを制御するＣＰＵなどを備えてなり、ＣＰＵがプリント信号Ｓ１を入力して給電装置をオン・オフ制御することにより加熱体２４の基板表面側に設けた発熱抵抗体２４ｂを通電加熱させて、加熱体２４を所定の目標設定温度に温調制御し、該加熱体によって定着フィルム２１をその温度に加熱する。
【００３１】
この状態において、未定着トナー画像Ｓを担持した記録媒体Ｐを定着ニップ部Ｎで挟持搬送することで、加熱体２４の熱が定着フィルム２１を介して記録媒体Ｐに付与され、未定着トナー画像Ｓが記録媒体Ｐ面に熱定着される。
【００３２】
定着ニップ部Ｎを通過した記録材Ｐは定着フィルム２１の面から曲率分離されて排紙される。
【００３３】
加圧ローラ１０は金属（アルミあるいは鉄など）の芯金１１と、その外側にシリコンゴム等で形成された弾性層１２と、該弾性層１２の表面を被覆する離型性層１３から成る。
【００３４】
弾性層１２としては、シリコンゴム等で形成されたソリッドゴム層、あるいは断熱効果を持たせるためシリコンゴムを発泡させ形成されたスポンジゴム層、あるいはシリコンゴム層内に中空のフィラーを分散させ、硬化物内に気泡部分を持たせ、断熱作用を高めた気泡ゴム層などが用いられる。
【００３５】
離型性層１３は、パーフルオロアルコキシ樹脂（ＰＦＡ）、ポリテトラフルオロエチレン樹脂（ＰＴＦＥ）、テトラフルオロエチレン−ヘキサフルオロプロピレン樹脂（ＦＥＰ）等のフッ素系樹脂、あるいはＧＬＳラテックスコーティングを施したものであってもよく、また該離型性層１３はチューブを被覆させたものでも、表面を塗料でコートしたものであってもよい。
【００３６】
本実施例では、芯金１１はアルミ芯金、弾性層１２はシリコンゴム、離型性層１３はＰＦＡであり、加圧ローラ１０の外形は２０ｍｍ、弾性層１２の厚さは３．５ｍｍのものを用いた。
【００３７】
定着フィルム２１は、耐熱樹脂を円筒状に形成したものであり、周長に余裕を持ってステー２２に外嵌されている。本例に示す定着フィルム２１は、耐熱性、断熱性を有するポリイミド、ポリアミドイミド、ＰＥＥＫ、ＰＥＳ、ＰＰＳ、ＰＦＡ、ＰＴＦＥ、ＦＥＰ等を基層とし、表層にはＰＦＡ、ＰＴＦＥ、ＦＥＰ、シリコーン樹脂等の離型性の良い耐熱樹脂を混合または単独で被覆してある。
【００３８】
ステー２２は、液晶ポリマー、フェノール樹脂、ＰＰＳ，ＰＥＥＫ等の耐熱性と、摺動性を具備した耐熱性樹脂により断面略半円形樋型に形成されている。
【００３９】
加熱体２４は、アルミナ等でできた基板２４ａの表面に、通電発熱体２４ｂとして例えばＡｇ／Ｐｄ（銀パラジウム）等の電気抵抗材料をスクリーン印刷等により塗工し、その上に表面保護層２４ｃとしてガラスやフッ素樹脂等がコートされている。
【００４０】
（３）加熱体２４の温度制御
次に加熱体２４の温度制御について述べる。加熱体２４の発熱量の制御は、基板２４ａの背面側に設けられた温度検知手段としてのサーミスタ２３により検知される検知温度情報を元に、所定の目標設定温度が維持されるように加熱体２４への通電量を制御することで実現される。
【００４１】
本発明の要点は、記録媒体Ｐの定着ニップ部Ｎ通過中において、記録媒体Ｐの未定着トナー画像Ｓの担持面(以下、記録媒体表面と記す)に対して裏面側からの熱量を一定に保つこと、すなわち本実施例においては、定着装置１１２の温度制御を加圧ローラ１０の表面温度を基準に行うことであり、加圧ローラ１０の表面温度を記録媒体Ｐのニップ部Ｎ通過前および通過中で常に飽和温度Ｔｓを保つため、記録媒体Ｐの定着ニップ部Ｎ突入前と後で、加熱体２４の目標設定温度を変更することである。ここで言う飽和温度Ｔｓとは定着ニップ部Ｎを記録媒体Ｐが通過している状態における飽和温度であって、加圧ローラ１０と、加熱回転体２０と、記録媒体Ｐとが、熱平衡状態になったときの温度である。記録媒体通過時の飽和温度Ｔｓは加熱体２４の目標設定温度に対応した値をとるものであるが、ここではそれが記録媒体Ｐ上の未定着トナー画像Ｓを定着するために最適な温度となるようにする。
【００４２】
記録媒体Ｐの定着ニップ部Ｎ通過中における加熱体２４の目標設定温度(第２の目標設定温度)をＴｔ１とすると、記録媒体Ｐのニップ部Ｎ通過前は記録媒体Ｐに熱を奪われることがない分、記録媒体通過時の加圧ローラ飽和温度Ｔｓを維持するためには、加熱体２４の発熱量を減らす必要があるため、そのときの目標設定温度(第１の目標設定温度)をＴｔ０（＜Ｔｔ１）とする。
【００４３】
図１（ｉ）および（ｉｉ）は本実施例と従来例における温調制御の説明図であり、以下、これを用いて説明する。
【００４４】
図１（ｉ）において、ｄは従来の温度制御で用いる加熱体２４の目標設定温度であって常にＴｔ１で固定されている。ｂはそのときの加圧ローラ１０表面温度の変化を示したものである。
【００４５】
横軸（時間軸）上の原点０からＡ０にかけては、記録媒体Ｐの定着ニップ部Ｎ突入前であって、加熱体２４は目標設定温度Ｔｔ１で加熱され、加圧ローラ１０の表面温度は、横軸（時間軸）上の原点０からＡ０にかけて昇温し、Ａ０において記録媒体Ｐが定着ニップ部Ｎに突入する。その際、加圧ローラ１０は記録媒体Ｐに熱を奪われるため、急激な温度低下が起こる。
【００４６】
これは記録媒体Ｐのニップ部突入前に、加圧ローラ１０が過度に熱せられ、その表面温度と記録媒体通過時の飽和温度Ｔｓの温度差が大きくなっているためで、この温度差が大きいほど加圧ローラ１０の温度低下幅が大きくなる。加圧ローラ１０の表面温度は、最初の突入時の急激な温度低下の履歴を持っているために、加圧ローラ２周目開始時Ａ１において、更に低下してしまう。このようにして、加圧ローラ１０の表面温度は、その周長ごとに顕著な温度低下を示し、次第に記録媒体通過時の飽和温度Ｔｓへ近づいていく。なお、Ａ２は加圧ローラ３周目開始時を示す。
【００４７】
これに対し、ｃは本実施例の温度制御で用いる加熱体２４の目標設定温度であり、記録媒体Ｐの定着ニップ部Ｎ突入前（図１（ｉ）：原点０〜Ａ０）はＴｔ０（＜Ｔｔ１）、定着ニップ部Ｎ突入後（図１（ｉ）：Ａ０以後）はＴｔ１とする。ａはそのときの温度制御による加圧ローラ１０の表面温度の変化を示したものである。
【００４８】
加圧ローラ１０の表面温度は、記録媒体Ｐの定着ニップ部Ｎ突入前の段階で、記録媒体通過時の飽和温度Ｔｓに向かって温度上昇する。これは、記録媒体Ｐの定着ニップ部Ｎ突入前の目標設定温度Ｔｔ０は定着ニップ部Ｎ突入後の目標設定温度Ｔｔ１よりも低いためであり、過度に熱せられることが無く、突入時に記録媒体通過時の飽和温度Ｔｓとの温度差が無いので、急激な温度低下は起こらず、突入後もほぼ記録媒体通過時の飽和温度Ｔｓを維持する。また加圧ローラ１０表面に温度低下の履歴が残ることが無いため、それ以後も記録媒体通過時の飽和温度Ｔｓを維持することができる。
【００４９】
図２（ｉｉ）は、例えばトナーの種類等が変更されて、トナー溶融に最適な温度すなわち目標設定温度Ｔｔ１、Ｔｔ０が図１（ｉ）に示す目標設定温度よりも低くなった場合の温度制御の説明図である。この場合、加圧ローラ１０表面の記録媒体通過時の飽和温度Ｔｓが新たな最適温度と一致するように、加熱体２４の目標設定温度Ｔｔ０、Ｔｔ１を図１（ｉ）のときよりも下げることで、対応できる。
【００５０】
図２（ｉ）および（ｉｉ）に示した加熱体２４の温度制御に対応した温度制御モードを実行する加熱体駆動制御回路３１の温度制御フローチャートを図３に示す。
【００５１】
加熱体駆動制御回路３１ではＣＰＵがプリント信号Ｓ１を入力することによって温度制御モードをスタートする。ステップＳ１において目標設定温度Ｔｔ０で加熱体２４の温度制御を行う。記録媒体Ｐが定着ニップ部Ｎに突入したか否かを判断し（Ｓ２）、突入したのなら（ＹＥＳ）目標設定温度をＴｔ１に変更する（Ｓ３）。記録媒体Ｐが定着ニップ部Ｎを完全に通過したか否かを判断し（Ｓ４）、完全に通過したら（ＹＥＳ）終了する。
【００５２】
上記フローチャートにおいて、記録媒体Ｐが定着ニップ部Ｎに突入したことを判断する場合の構成例として、例えば定着装置１１２の定着ニップ部Ｎの記録媒体導入側に導入検知センサ３３（図１）を設け、このセンサで記録媒体Ｐの先端を検知し、その検知信号に基づいてＣＰＵで記録媒体Ｐの定着ニップ部突入を判断させるようにしてよい。記録媒体Ｐが定着ニップ部Ｎを完全に通過したことを判断する場合の構成例として、例えば定着装置１１２の定着ニップ部Ｎの記録媒体排出側に排出検知センサ３４（図１）を設け、このセンサで記録媒体Ｐの後端を検知し、その検知信号に基づいてＣＰＵで記録媒体Ｐの定着ニップ部突入を判断させるようにしてよい。
【００５３】
本実施例では記録媒体Ｐとして坪量７５ｇのＬｅｔｔｅｒ普通紙を用いた。これをある一定の目標設定温度で温度制御した定着装置の定着ニップ部Ｎに通紙し、紙の後端が定着ニップ部Ｎを抜けたときの加圧ローラ表面温度をＴｓとして、Ｔｓ〜９０℃となるような加熱体２４の目標設定温度をＴｔ１〜１７５℃とした。
【００５４】
また、この値をもとに記録媒体Ｐの定着ニップ部Ｎ突入前の目標設定温度をＴｔ０〜１４５℃に定めた。Ｔｔ１とＴｔ０の差ΔＴｔ０＝Ｔｔ１−Ｔｔ０〜３０℃は、紙のニップ部突入直後に起こる、最も急激で且つ大きな加圧ローラの表面温度低下幅とほぼ同等の値であることに対応している。
【００５５】
なお、飽和温度Ｔｓは定着フィルムや加圧ローラ、記録媒体の種類（サイズ、厚さ、表面性）により異なるため、使用する定着フィルム、加圧ローラ、記録媒体の種類ごとに飽和温度Ｔｓを測定して定め、それに従って加熱体２４の目標設定温度Ｔｔ０、Ｔｔ１を決定する。
【００５６】
またトナー溶融に最適な加圧ローラ表面温度はトナーの種類ごとに異なるため、その温度と一致させるべき飽和温度Ｔｓの値もトナーごとに変更する。
【００５７】
図２（ii）に示している加圧ローラ表面温度Ｔｓ、目標設定温度Ｔｔ０、Ｔｔ１は、より溶融粘度の低いトナーの場合の例として当てはまる。トナー溶融粘度が低ければ、ホットオフセット等の弊害を避けるため、設定温度も低めに調整する必要がある。一例として、トナー溶融に最適な加圧ローラ表面温度Ｔｓ〜８５℃としたときの目標設定温度は、Ｔｔ０〜１６５℃、Ｔｔ１〜１４０℃となる。
【００５８】
本実施例の定着装置によれば、記録媒体Ｐの定着ニップ部Ｎ通過前および通過中において、加圧ローラ１０の表面温度は記録媒体通過時の飽和温度Ｔｓを保つことができる。その結果、記録媒体裏面からの熱量が一定となり、記録媒体表面と裏面からの熱量のバランスを一定に保てることから、定着後の画像濃度、グロスを均一にすることができる。また、加圧ローラ１０表面の温度低下を避けるために、単純に目標設定温度を上げることによるホットオフセット発生を防ぎ、また、記録媒体Ｐの定着ニップ部Ｎ通過前に過剰な加熱をすることが無いため、加圧ローラ１０表面温度は記録媒体通過時の飽和温度Ｔｓを超えて余分に温度が上昇することが無く、消費電力を抑えることができる。
【００５９】
すなわち、記録媒体Ｐが定着ニップ部Ｎに突入する直前までの目標設定温度Ｔｔ０を、該記録媒体がニップ部に突入した後の目標設定温度Ｔｔ１よりも低くするので、記録媒体Ｐのニップ部突入直後に加圧ローラ表面温度が急激に低下するのを防ぐことができる。それにより、記録媒体裏面側からの熱量が急激に減少するのを防ぎ、記録媒体表面と裏面からの熱量のバランスを一定に保ち、同一記録媒体Ｐ上での濃度、グロス変化を抑えて画質の均一性を向上させることができる。また、加圧ローラ表面の温度低下を避けるために、単純に目標設定温度を上げることによるホットオフセット発生を防ぎ、また、記録媒体の通過前に過剰な加熱をすることが無いため、必要以上に温度が上昇するのを避けられ、消費電力を抑えることができる。
【００６０】
また、目標設定温度Ｔｔ０、Ｔｔ１のそれぞれを、加圧ローラ１０の表面温度が、記録媒体Ｐのニップ部通過中に該加圧ローラが達する熱平衡状態の温度を維持するように定めるので、記録媒体Ｐのニップ部通過前および通過中において、加圧ローラ１０の表面温度は、定着フィルム２１と、加圧ローラ１０と、記録媒体Ｐから決まる熱平衡温度を保つことができる。その結果、記録媒体裏面からの熱量が一定となり、記録媒体表面と裏面からの熱量のバランスを一定に保てることから、定着後の画像濃度、グロスを均一にすることができる。また、加圧ローラ表面の温度低下を避けるために、単純に目標設定温度を上げることによるホットオフセット発生を防ぎ、また、記録媒体の通過前に過剰な加熱をすることが無いため、記録媒体通過時の飽和温度（熱平衡温度）を超えて余分に温度が上昇するのを避けられ、消費電力を抑えることができる。
【００６１】
また、目標設定温度Ｔｔ０、Ｔｔ１のそれぞれを、記録媒体のサイズ、厚さ、表面性などの種類毎に、前記加圧部材の表面温度が、記録媒体のニップ部通過中に該加圧部材が達する熱平衡状態の温度を維持するように定めるので、加圧ローラ表面の温度を記録媒体Ｐの種類に応じた最適な熱平衡温度に保つことができる。それにより記録媒体の種類に応じて、記録媒体裏面から最適な熱量を安定して供給でき、記録媒体表面と裏面からの熱量のバランスを一定に保てることから、定着後の画像濃度、グロスを均一にすることができる。また、加圧ローラ表面の温度低下を避けるために、単純に目標設定温度を上げることによるホットオフセット発生を防ぎ、また、記録媒体の通過前に過剰な加熱をすることが無いため、記録媒体通過時の飽和温度（熱平衡温度）を超えて余分に温度が上昇するのを避けられ、消費電力を抑えることができる。
【００６２】
また、サーミスタ２３の検知温度に基づいて加熱体２４の発熱量を制御し、加熱体２４を目標設定温度Ｔｔ０、Ｔｔ１にそれぞれ温調するので、加圧ローラの表面温度を熱平衡状態の温度に保つことができる。
【００６３】
（その他）
（１）本発明の定着装置は、フィルム加熱方式の定着装置に限らず、電磁誘導加熱方式等のように熱応答性がよく、記録媒体の裏面に接する加圧部材側の加熱手段を省いた定着装置にも適用できる。この場合、記録媒体の定着ニップ部通過前および通過中において、記録媒体裏面からの熱量を一定に保つように、励磁コイルと磁性体コアとを具備する磁束発生手段（加熱体）によって電磁誘導発熱性金属層を含む定着フィルム（加熱回転体）を電磁誘導加熱させる目標設定温度を変化させることで同様の効果が得られる。
【００６４】
（２）加熱体による加熱回転体の加熱は本実施例の内部加熱方式に限られず、加熱体を加熱回転体の外部に配設した外部加熱方式の装置構成にすることもできる。
【図面の簡単な説明】
【００６５】
【図１】実施例１の定着装置の概略構成模型図。
【図２】加熱体の目標設定温度と加圧ローラ表面温度の変化を説明する図。
【図３】定着装置の温度制御フローチャート。
【図４】定着装置を具備する画像形成装置の概略構成模型図。
【符号の説明】
【００６６】
１０‥‥加圧ローラ
１１‥‥芯金
１２‥‥弾性層
１３‥‥離型性層
２１‥‥定着フィルム
２２‥‥ステ−
２３‥‥サーミスタ
２４‥‥加熱体
３１‥‥加熱体駆動制御回路
Ｓ‥‥トナー
Ｐ‥‥記録媒体
Ｎ‥‥定着ニップ部
【図１】
2006011256.tif 000003
【図２】
2006011256.tif 000004
【図３】
2006011256.tif 000005
【図４】
2006011256.tif 000006